(57)【特許請求の範囲】
【請求項１】
袋（１）は、外枠（２）と内枠（３）の間に挟まれており、
該袋（１）は透明であり、該袋（１）越しにドリル（４）を操作し、
前記外枠（２）には、取っ手（２ａ）が具備されており、
前記内枠（３）は、上部の直径が下部の直径よりも大きくなっていて、
該内枠（３）は、透明になっていることを特徴とする防塵カバー。  
【請求項２】
袋（１）は、略角形外枠（２ｘ）と略角形内枠（３ｘ）の間に挟まれており、
該略角形外枠（２ｘ）の外周は、四角形をしており、
該略角形外枠（２ｘ）に、取っ手（２ａ）が具備されており、
前記略角形内枠（３ｘ）の外周は四角形になっており、側面は台形で、上部が下部より大きくなっていることを特徴とする防塵カバー。
【発明の詳細な説明】
【技術分野】
【０００１】
本発明は、建築現場で石膏ボードに穴を開けるとき、粉塵が飛ばないようにカバーする防塵カバーに関するものである。
【背景技術】
【０００２】
従来の防塵カバーは、ドリルを使用して、床、壁あるいは天井に、穴あけ作業をすることが多い。この場合、作業者は目に防塵メガネを掛けるとともに、肺などに粉塵が進入しないように、防塵マスクを付けるのが常識とされていた。そして、穴あけ作業では、周囲を粉塵によって汚すことになり、そのため作業前の養生と、作業後の清掃作業が必要であった。
【０００３】
そこで特開２００１−２５９９６０の防塵カバーは、現在のドリル周囲を覆う蛇腹体からなる防塵カバーがあった。この防塵カバーは、穴あけ作業には、ドリルのキリ先部の周囲を密閉して、作業中に防塵カバー内に溜まったゴミを、防塵カバーに具備した接続管を介し、掃除機で吸い出すものであった。
【先行技術文献】
【特許文献】
【０００４】
【特許文献１】特願２００４−２４３６９３
【特許文献２】特開２００１−２５９９６０
【発明の開示】
【発明が解決しようとする課題】
【０００５】
しかし従来の防塵カバーは、蛇腹の中心部にキリ先部が位置するため、蛇腹が邪魔で、壁または天井の入角付近に、穴を開けるのは不可能であった。また装置が大がかりで、一々掃除機を運び、吸引しなければ作業はできなかった。さらに、蛇腹が目隠しになり、正確なマーキングした位置に、穴を開けるのは困難であった。  
【０００６】
そこで本発明の防塵カバーは、透明のナイロン袋（１）で、袋（１）の外からドリル（４）を操作するため、壁または天井（５）の入角にも穴あけすることができる。しかも、袋（１）の容量が大きいため、粉塵が散っても、モータには影響が少ない防塵カバーを提供するものである。
【課題を解決するための手段】
【０００７】
上記目的を達成するために本発明の防塵カバーは、透明の大きな袋（１）と、袋（１）の口（１ａ）の外側に取り付ける外枠（２）と、その袋（１）を固定さすための内枠（３）を上から下に挿入すると、間に挟まれた袋（１）も固定される。
【０００８】
そして内枠（３）は、円錐の上が付いていない形を、逆さまにした形であるから、下の直径より上の直径が大きくなっており、内枠（３）の上部先端には緩衝材（３ａ）が具備されている。また外枠（２）には、取っ手（２ａ）が具備されていて、その取っ手（２ａ）には握り（２ｂ）が取り付けてあることで目的を達成した。
【０００９】
請求項２の目的を達成するために袋（１）は、略角形外枠（２ｘ）と略角形内枠（３ｘ）の間に挟まれており、その略角形外枠（２ｘ）の外周は、四角形の形をしている。
そして、略角形外枠（２ｘ）には取っ手（２ａ）が具備されており、取っ手（２ａ）には握り（２ｂ）部分があり、取っ手（２ａ）があることで方向性を保つ。
【００１０】
また、略角形内枠（３ｘ）の外周は四角形になっており、側面から見た形は台形で、上部が下部より大きくなっていることで、略角形外枠（２ｘ）の中へ挿入ができる。さらに、略角形内枠（３ｘ）に上部には、緩衝材（３ａ）が具備されていることで目的を達成した。
【発明の効果】
【００１１】
本発明の防塵カバーは、次のような効果がある。
（イ）天井の入角でも、穴あけ作業ができる。
（ロ）袋は十分な大きさがあるため、掃除機の吸引が不要である。
（ハ）防塵カバーは、簡単であるため安価である。
（ニ）防塵カバーを使用すると、保護メガネが不要である。
（ホ）防塵カバーを使用すると、防塵マスクが不要である。
（ヘ）請求項２の防塵カバーは、部屋の三方に面する入角にも、穴が開けられる。
（ト）防塵カバーは穴あけ用ドリルのほか、グラインダーやコンクリートハンマーなどえも使用できる。
【図面の簡単な説明】
【００１２】
【図１】図は、防塵カバーの斜視図である。
【図２】図は、外枠の斜視図である。
【図３】図は、内枠の斜視図である。
【図４】袋の中に、ドリルを入れた側面図である。
【図５】袋の外に、外枠を取り付けた側面図である。
【図６】袋の中に、内枠を取り付けた側面図である。
【図７】穴あけ位置に、ドリルをセットした斜視図である。
【図８】天井に穴を、開けているところの斜視図である。
【図９】天井に、穴を開けたところの斜視図である。
【図１０】請求項２の略角形外枠の斜視図である。
【図１１】請求項２の略角形内枠の斜視図である。
【図１２】部屋の角の、天井を見上げた上面図である。
【発明を実施するための最良の形態】
【００１３】
本発明の防塵カバーの考え方は、ドリル（４）で穴あけ作業をしているころは密閉された部屋で、その作業をナイロン袋（１）越しに、ドリル（４）を操作して行うものであるから、その袋（１）の中を隣の部屋としたものである。
【００１４】
その防塵カバーは、透明の大きな袋（１）の中にドリル（４）を入れ、袋（１）の口（１ａ）を外枠（２）の内側に取り付ける。その取り付ける位置は、約５センチを外枠（２）から出して、その袋（１）の口（１ａ）に、内枠（３）を上から下に挿入すると、内枠（３）が外枠（２）を固定する。
【００１５】
すると、内枠（３）はテーパになっており、内枠（３）の下部分は、外枠（２）と袋（１）があっても容易に入るように、小さい直径になっている。そして上部は、内枠（３）が外枠（２）を固定するため、外枠（２）より大きくなっており、内枠（３）の上が大きいし、袋（１）を間に挟んでいるため徐々にきつくなり、内枠（３）を挿入することで外枠（２）と袋（１）と内枠（３）を固定する。
【００１６】
次に、ドリル（４）を袋（１）越しに、ドリル（４）を操作できる状態にして握り、ドリル（４）の錐（４ａ）を防塵カバーの外へ出し、天井（５）のマーキング（５ａ）に押さえつける。
【００１７】
そして、その外枠（２）には取っ手（２ａ）が具備されていて、もう片一方の手で外枠（２）を天井（５）に押さえつけると、内枠（３）の緩衝材（３ａ）が天井（５）に隙間なくくっ付き、ドリル（４）のスイッチを入れることで、穴あけ作業ができる。
【００１８】
袋（１）は十分な大きさがあり、出た粉塵は袋（１）の下に溜まり、少しの粉塵は袋（１）の中に浮遊しているが、袋（１）の外には出ない。そのとき、防塵マスクと防塵メガネは、袋（１）がカバーしているので必要ない。
【００１９】
そして、時間がたつと浮遊する粉塵が落下し、防塵カバーを天井（５）から外し、袋（１）の口（１ａ）を塞ぐように外枠（２）を捻り、外枠（２）に袋（１）を巻きつけて、袋（１）の中の空気と粉塵が出ないようにして、穴あけ作業が終了する。防塵カバーの処理は、そのまま外または汚れてもよい場所へ運び、そこで内枠（３）を外し、外枠（２）も外してからドリル（４）を取り出し、袋（１）は廃棄する。
【００２０】
請求項２の防塵カバーの袋（１）は、透明で、大きな袋（１）であれば、大きすぎることはない。その袋（１）に、穴あけ用のドリル（４）を入れ、袋（１）の口（１ａ）を一つにまとめ、略角形外枠（２ｘ）を袋（１）の外側に取り付ける。取り付ける位置は、袋（１）の口（１ａ）から５センチ以上出した方がよい。
【００２１】
そして袋（１）の口（１ａ）の中に、略角形内枠（３ｘ）を挿入して、外側の略角形外枠（２ｘ）があるために、略角形外枠（２ｘ）の金具に略角形内枠（３ｘ）の透明なものが挿入される。その略角形内枠（３ｘ）は、横から見ると台形をしており、上部は略角形外枠（２ｘ）が抜けないぐらいの大きさがあり、下部は袋（１）があっても直ぐに入るように小さくなっている。そして、その略角形外枠（２ｘ）と略角形内枠（３ｘ）の間に袋（３ａ）の口（１ａ）付近を挟み込み、固定される。
【００２２】
その略角形外枠（２ｘ）と、略角形内枠（３ｘ）の外周は四角形であるため、四角形は部屋の三方入角にも、穴が開けることができるのが、丸形と違うところである。そして、袋（１）越しにドリル（４）を握り、錐（４ａ）の先を、袋（１）の口（１ａ）から出してマーキング（５ａ）に押し当てる。
【００２３】
次に略角形外枠（２ｘ）の取っ手（２ａ）を持って、略角形内枠（３ｘ）を天井（６）に押し当てて、ドリル（４）のスイッチを入れると、天井（６）に穴（５ｂ）を開けることができる。そのとき、略角形内枠（３ｘ）の上部には緩衝材（３ａ）が具備されており、緩衝材（３ａ）はスポンジまたはゴムなどでできており、天井（５）に傷を付けたり、粉塵が漏れることがないようにしている。
【００２４】
袋（１）の中は粉塵が浮遊し、大きな埃は袋（１）の下に溜まり、小さな粉塵は下に落ちてくるのに時間が掛かる。そのため、穴（５ｂ）あけ作業が終わると、略角形外枠（２ｘ）を捻り、袋（１）の側面で略角形外枠（２ｘ）の蓋をして、埃が飛んでもよいところに運ぶ。そこで略角形内枠（３ｘ）を外し、略角形外枠（２ｘ）も外し、中のドリル（４）を取り出し、袋（１）の中のゴミを処分するか、袋（１）ごと捨てる。
【実施例１】
【００２５】
以下、本発明の実施例について、図面を参照して説明する。
図１は、天井（５）に穴を開けているところの、防塵カバーの断面図である。ナイロン袋（１）は透明であり、穴あけ作業が見て分かる方が、作業が進み、見ていないで作業をすることはありえない。したがって、透明のナイロンの袋（１）には斜線を引いており、ドリル（４）は袋（１）の中にあり、両手は袋（１）の外にあることをあらわしている。そして、内枠（３）も透明であるため、袋（１）の斜線とは逆の斜線で表している。そして、袋（１）越しにドリル（４）を操作するため、ドリル（４）を握るのに十分な袋（１）を弛ませて握る必要がある。そして、天井（５）の穴あけ作業をする場所にマーキング（５ａ）がしてあり、そのマーキング（５ａ）にドリル（４）の錐（４ａ）を合わし、もう一方の手は防塵カバーの外枠（２）の取っ手（２ａ）を握り、天井（５）に内枠（３）を密閉させたところである。その内枠（３）も透明であるから、穴あけ作業の進み具合が分かり、突然穴が開きバランスを崩すことがない。
【００２６】
図２は、外枠（２）の斜視図である。その外枠（２）は、ステンレスのパイプでできており、直径は１２０ミリで、内径が約１１８ミリで、縦が３０ミリの円柱である。その外枠（２）には、取っ手（２ａ）が付いていて、取っ手（２ａ）は６ミリの棒で、先端を折り曲げて握り（２ｂ）を取り付けてある。その握り（２ｂ）は、細い棒を持っていると異常に力が要り、油断すると回転してしまうため、取っ手（２ａ）を折り曲げることで、握り（２ｂ）を作り解決した。
【００２７】
その取っ手（２ａ）は、防塵カバー全体を支えるためのものではあるが、使い勝手が悪いときには、取っ手（２ａ）の角度を変えられるくらいの強さが必要である。したがって、図面の取っ手（２ａ）は、直角に下へ下がっているが、使い勝手が悪いときには、角度を変えることができる。その強度は、工具を使うと曲がるが、素手では曲がらないくらいの硬さである。
【００２８】
図３は、内枠（３）の斜視図である。内枠（３）は、底の付いていない紙コップをイメージするとよい。その内枠（３）の上部は、緩衝材（３ａ）が具備されており、緩衝材（３ａ）は天井（５）などに接触させたとき、天井（５）に傷が付かないようにするためと、粉塵が隙間から漏れないようにするため、軟らかいスッポンジやゴムで作成するとさらに良い。
【００２９】
そして内枠（３）の上部の直径は１３０ミリで、下の直径は１１５ミリである。そして高さは７０ミリあり、透明の方が作業の進み具合が分かるのでよい。また内枠（３）は、ドリル（４）の回転部分が接触する場所であり、袋（１）のナイロンが絡みつくのを十分注意して、錐（４ａ）が長い物なら内枠（３）も高さが長い物を使用する。
【００３０】
図４は、袋（１）のナイロンに、ドリル（４）を入れたところである。袋（１）のナイロンは７５リットルで、透明の物を使用した。使用するさい、袋（１）の中に空気を多く含んでいる方が、せっかく大きな袋（１）を使用した意味がなく、ドリル（４）を使用しているときの冷却風は、袋（１）の中で舞うことになる。そして、穴あけ作業に時間が掛かれば、新たに空気を入れ替えてから作業をする。しかし、石膏ボードでは短時間の１０秒で穴が開くため、ドリル（４）は熱を持たない。
【００３１】
図５は、袋（１）の口（１ａ）の外側に、外枠（２）を取り付けたところである。ナイロン袋（１）は、直径５０センチの周囲は１５０センチあり、それを直径の内径を１６０ミリの外枠（２）の中に押し込み、５センチから２０センチの間で、ナイロン袋（１）の口（１ａ）を外枠（２）から出す。ナイロン袋（１）は１５０センチで、外枠（２）は内周４８センチであるから、ナイロン袋（１）は余った分、弛ませて内枠（３）を取り付ける。
【００３２】
図６は、外枠（２）に内枠（３）を取り付けたところである。内枠（３）は、ナイロン袋（１）と外枠（２）を固定するため取り付けた物で、内枠（３）をナイロン袋（１）の口（１ａ）に挿入する。挿入すると、ナイロン袋（１）の口（１ａ）がクッションとなり、外枠（２）の内面に接触して、約半分くらいのところに止まり固定する。その袋（１）の口（１ａ）のナイロンは、外枠（２）の外へ曲げておく。そして、外枠（２）の上部には緩衝材（３ａ）が取り付けてあり、緩衝材（３ａ）は天井（５）と接触する場所なので、天井（５）を傷付けないようにするためと、粉塵が漏れないようにするため弾性物の、スポンジやゴムでできている。
【００３３】
図７は、マーキング（５ａ）した所へ、ドリル（４）の錐（４ａ）を接触させたところである。たっぷりと空気を含ませた袋（１）越しに、ドリル（４）を握り、片一方の手は防塵カバーの外枠（２）の、取っ手（２ａ）の握り（２ｂ）を持ち、天井（５）のマーキング（５ａ）した所へ、ドリル（４）の錐（４ａ）をあてたところである。このとき、ドリル（４）は袋（１）の中にあり、ドリル（４）を握っている右手は袋（１）の外にある。
【００３４】
図８は、天井（５）に穴を開けているところである。天井（５）に、防塵カバーの内枠（３）に付いた緩衝材（３ａ）を押さえつけ、ドリル（４）で天井（５）に穴を開けているところである。粉塵は、袋（１）の中で舞い、大きなものから袋（１）の下の方に溜まり、小さなものは浮遊している。
【００３５】
この考え方は、隣に部屋を袋（１）越しに操作して、穴を開けるものであるから、隣の部屋の袋（１）はナイロンだけであるが、ナイロンで仕切られた隣の部屋なら、そのとき袋（１）のナイロンが、防塵メガネと防塵マスクの代わりとなり、保護メガネと塵肺防止のマスクを必要としない。
【００３６】
図９は、穴（５ｂ）を開けて、作業が終わったところである。重たい粉塵は下に溜まり、軽い粉塵は袋（１）の中を舞っているが、天井（５）から防塵カバーをそっと外し、防塵カバー取っ手（２ａ）を横に倒して、内枠（３）の下の部分と袋（１）が密閉する。そして、その防塵カバーを外もしくは、粉塵が飛散してもよい所に運ぶ。
【００３７】
その場所で内枠（３）を外し、外枠（２）を外してから、袋（１）の中のドリル（４）を取り出し、袋（１）越し廃棄する。中に入っていたドリル（４）は、空冷であるため空気取入れ口が粉塵で汚れているときには、ブロアー等で綺麗に清掃して、次の袋（１）を用意して、穴あけ作業をする。
【実施例２】
【００３８】
図１０は、請求項２の略角形外枠（２ｘ）の斜視図である。略角形外枠（２ｘ）の外周は四角形をしており、略角形外枠（２ｘ）には取っ手（２ａ）が具備されている。そして、材質はステンレスで、厚み１ミリの、幅３０ミリの長さ４８０ミリを、一辺が１２０ミリになるように四角形に曲げた。
【００３９】
そして略角形外枠（２ｘ）の中央に取っ手（２ａ）が取り付けてあり、その取っ手（２ａ）は持って水平を保てるように下向きに曲げ、取っ手（２ａ）には握り（２ｂ）が具備されている。その握り（２ｂ）は、方向性を保つために折り曲げているが、柄を取り付けてもよい。また図面では、直角に垂れ下がって取っ手（２ａ）が付いているが、取っ手（２ａ）はΦ６のステンレスの棒であるから、作業がし易いように曲げることができる。
【００４０】
図１１は略角形内枠（３ｘ）の斜視図である。外周は四角形になっており、側面は台形で、上部が下部より大きくなっている。略角形内枠（３ｘ）に上部は１６０ミリで、下部は１２０ミリである。そのため、袋（１）を取り付けていないときは、略角形外枠（２ｘ）の中に略角形内枠（３ｘ）が入るようになっている。そして、袋（１）を間に挟むと、略角形内枠（３ｘ）は半分くらい入るのが理想である。
【００４１】
そして、略角形内枠（３ｘ）の上部には緩衝材（３ａ）を具備しており、その緩衝材（３ａ）はスッポンジなど軟らかい物がよい。略角形内枠（３ｘ）は、天井（５）に直接接触するところであり、天井（５）に傷を付けないことと、粉塵が漏れないようにするために具備されている。
【００４２】
図１２は、部屋の角の天井を、見上げた下面図である。その図は、略角形内枠（３ｘ）を部屋の入角に穴（５ｂ）を開けるところを、模式した図である。部屋の角（５ｃ）に穴（５ｂ）を開けるときは、略角形内枠（３ｘ）の肉厚が５ミリで、錐（４ａ）がΦ３０ならば、マーキング（５ａ）の位置は北面（５ｄ）から２０ミリ、西面（５ｅ）から２０ミリのところが、最も角の位置である。
【００４３】
そして、点線であらわした丸は、請求項１の防塵カバーの内枠（３）であり、その中に点線のマーキング（５ａ）と錐（４ａ）がある。内枠（３）は北面（５ｄ）の壁と、西面（５ｅ）の壁とに接触しているが、図を見て分かるとおり、内枠（３）が丸だと、角型の物に比べ約２０ミリの穴（５ｂ）が開かないところができる。そこを、斜線で表している。
【００４４】
つまり、略角形内枠（３ｘ）の穴（５ｂ）の開く場所は、部屋の下部から２０ミリであるが、請求項１の丸形の内枠（３）では、部屋の壁から２０ミリで穴（５ｂ）が開くが、部屋の角（５ｃ）だけは穴（５ｂ）を開けることができない。したがって、請求項１の丸型では、北面（５ｄ）と西面（５ｅ）からの距離は、４０ミリ以内の角には、穴あけ作業ができなかった。その、僅か２０ミリのために考えたものである。しかし穴（５ｂ）などは、目に付かない所へ開けるのが常識であるため、需要は多い。そして、穴あけ作業をするのは、請求項１と同じであるので説明は省く。
【実施例３】
【００４５】
図面の符号について、詳細な説明をする。
袋（１）は透明のゴミ袋で、大きさは７５リットルの大きなものから、２５リットルぐらいまで使用できるが、その現場によって使い分けることか望ましい。
口（１ａ）は、袋（１）の口（１ａ）のことで、その反対側は、入れた物が出ないように閉じられている。
【００４６】
外枠（２）は、ステンレス製のパイプを切った物を使用したが、材質はなんでもよい。
取っ手（２ａ）は、外枠（２）に取り付けた、握るところで、図面では真下に曲げているが、作業者の使う動作によって角度を調節できるように、取っ手（２ａ）は軟らかい軟鋼でできている。したがって、工具を使用することで、簡単に角度を変えることができる。
握り（２ｂ）は、取っ手（２ａ）の一部であり、Φ６の丸棒を曲げて握り（２ｂ）を作り、その握り（２ｂ）があるため方向が定まる。しかし、柄を付けるのもよい方法である。
略角形外枠（２ｘ）は、請求項１の外枠（２）で、天井（５）の二方からの入角に穴を開けることができたが、三方面の入角に穴を開けることが不可能であった。そこで略角形外枠（２ｘ）は、略角形外枠（２ｘ）の角と、部屋の角を合わせてマーキング（５ａ）の位置に、穴あけ作業をするものである。その差は、僅か２０ミリである。
【００４７】
内枠（３）は、外枠（２）に挿入したときに固定するように、下が外枠（２）より外形が小さく、上部の外形は抜け落ちないように外枠（２）より大きくなっている。そして、作業が確認できるように透明の物がよい。
緩衝材（３ａ）は、内枠（３）ならびに略角形内枠（３ｘ）に具備したもので、天井（５）や壁を傷付けないためと、粉塵が漏れないようにスッポンジなどでできている。
略角形内枠（３ｘ）は、四角錐の上の尖った部分を切り取った形で、それを引っ繰り返した形であり、これもまた透明がよい。略角形内枠（３ｘ）の上部は、緩衝材（３ａ）が具備されており、直接触れる天井（５）を傷付けないためと、埃が漏れないようにしている。
【００４８】
ドリル（４）は充電式の物を使い、片手で操作できるものが望ましいが、両手でドリル（４）を操作しなければならないときは、防塵カバーを押さえて持つ人が必要である。
錐（４ａ）は、鉄工用ドリルやジグソードリルや軸付ホールソーやダイヤモンドホールソーなどがあり、さらに大きな穴を開けるときには自由キリやサークルカッターなどがある。
天井（５）は石膏ボードや、薄いベニヤ板でできている。
マーキング（５ａ）は、これから穴を開けるところを示すもので、図面では天井（５）のマーキング（５ａ）である。
穴（５ｂ）は、天井（５）のマーキング（５ａ）をしたところに、穴あけ作業をしたものである。
部屋の角（５ｃ）は、入角が三方から集まった角である。
北面（５ｄ）と西面（５ｅ）は、部屋の壁のことである。
【産業上の利用可能性】
【００４９】
防塵カバーは、ドリル（４）で穴（５ｂ）開け作業するより他に、グラインダーやコンクリートハンマーなども使用できる。グラインダーを使用するときは、角形の防塵カバーの方がよく、略角形内枠（３ｘ）と略角形外枠（２ｘ）は、３０センチ以上あるものがよい。また石膏ボードなどは、火花が出ないのでよいが、火花が出るときには、袋（１）を耐火性のものにする。
【００５０】
コンクリートハンマーは、１５００ｗで熱を持ちやすいため、使用時間は１分ぐらいの短時間である。コンクリートハンマーの一回の打撃は、大ハンマー一回の打撃に等しく、通常のものなら用が足りる。ただし、コードが付いているものには、袋（１）に穴を開け、そこから配線をして、配線をした所は埃が漏れないようにビニールテープを巻いておく。
【符号の説明】
【００５１】
１  袋      １ａ  口
２  外枠      ２ａ  取っ手     ２ｂ  握り
２ｘ  略角形外枠  
３  内枠    ３ａ  緩衝材    ３ｘ  略角形内枠
４  ドリル    ４ａ  錐  
５  天井      ５ａ  マーキング      ５ｂ  穴      ５ｃ  部屋の角
５ｄ  北面    ５ｅ  西面  
【要約】      （修正有）【課題】従来の防塵カバーは、ドリルで開けようとする天井または壁に、ドリルに具備した蛇腹が囲い、その中で発生した粉塵を掃除機で吸引するものであったが、防塵カバーは壁の入角の付近に、穴を開け作業をするのは不可能であった。そこで本発明の防塵カバーは、透明のナイロン袋を使用することで問題を解決した。【解決手段】本発明の防塵カバーの袋１は、外枠２と内枠３の間に挟まれており、外枠２には取っ手が具備されている。そしてナイロン袋１の外からドリル４を操作して穴を開ける。【選択図】図１【図１】
0005841282.tif 000002
【図２】
0005841282.tif 000003
【図３】
0005841282.tif 000004
【図４】
0005841282.tif 000005
【図５】
0005841282.tif 000006
【図６】
0005841282.tif 000007
【図７】
0005841282.tif 000008
【図８】
0005841282.tif 000009
【図９】
0005841282.tif 000010
【図１０】
0005841282.tif 000011
【図１１】
0005841282.tif 000012
【図１２】
0005841282.tif 000013